(57)【要約】【課題】意匠性を損なうことなく、加熱されても建具によって仕切られている２つの空間が、召合せ部にて連通し難い建具を提供する。【解決手段】枠体に沿って障子がスライドすることにより前記枠体により形成され室内外を連通する開口を開閉可能な建具であって、前記障子は、面材と、前記面材の外周部を収容する面材収容部を各々有し、前記障子を閉じたときに見込み方向において他の部材と対向する召合せ框を含む４つの框材が框組みされた框体と、を有し、前記枠体は、前記框体の外周部を収容して前記障子のスライドを案内する外周案内部と、前記外周部より内側の内周部と見込み方向において対向する合成樹脂製のカバー材を備え、前記カバー材の室外側には、前記障子を閉じた状態で当該障子の前記召合せ框と対向する対向位置に、難燃性または不燃性の補強材が設けられている。【選択図】図５
2015206207.tif 000002
【特許請求の範囲】
【請求項１】
枠体に沿って障子がスライドすることにより前記枠体により形成され室内外を連通する開口を開閉可能な建具であって、
前記障子は、面材と、
前記面材の外周部を収容する面材収容部を各々有し、前記障子を閉じたときに見込み方向において他の部材と対向する召合せ框を含む４つの框材が框組みされた框体と、
を有し、
前記枠体は、前記框体の外周部を収容して前記障子のスライドを案内する外周案内部と、前記外周部より内側の内周部と見込み方向において対向する合成樹脂製のカバー材を備え、
前記カバー材の室外側には、前記障子を閉じた状態で当該障子の前記召合せ框と対向する対向位置に、難燃性または不燃性の補強材が設けられていることを特徴とする建具。
【請求項２】
請求項１に記載の建具であって、
前記補強材は、前記対向位置から前記障子がスライドする方向に繋がって設けられていることを特徴とする建具。
【請求項３】
請求項１または請求項２に記載の建具であって、
前記補強材には、前記框体と対向する側の面に加熱発泡材が設けられていることを特徴とする建具。
【発明の詳細な説明】
【技術分野】
【０００１】
本発明は、枠体に沿って障子がスライドすることにより前記枠体により形成され室内外を連通する開口を開閉可能な建具に関する。
【背景技術】
【０００２】
枠体に沿って障子がスライドすることにより前記枠体により形成され室内外を連通する開口を開閉可能な建具としては、例えば、上げ下げ窓、引違い窓など障子を面内方向に移動自在に装着したスライディングサッシが知られている（例えば、特許文献１参照）。このスライディングサッシは、障子取付枠が金属製室外側部材と断熱材製室内側部材の複合サッシ材でなり、内外障子を閉じた状態で外障子の召合せ框が内障子の召合せ框で覆われるようにし、断熱材製室内側部材を、内外障子を閉じた状態で召合せ框以外の框よりも面外方向室内寄りで面内方向内側に突出した形状とし、内障子の召合せ框を障子取付枠と同様の複合サッシ材とすることにより、内外障子を閉じた状態で金属面が室内側から見えないようにしている。
【先行技術文献】
【特許文献】
【０００３】
【特許文献１】特許第３１１１３０８号公報
【発明の概要】
【発明が解決しようとする課題】
【０００４】
上記スライディングサッシは、内外障子を閉じた状態で、内外障子の召合せ框以外の框の室内側が、断熱材製室内側部材により覆われている。このため、室内側にて火災が発生するなどして、スライディングサッシが火炎等に晒されると、断熱材は短時間で溶融または燃焼し、更に金属製室外側部材が軟化して障子取付枠が室内側に開くことにより内障子も室内側に移動または傾斜して、室内外が連通してしまうおそれがある。特に、召合せ框は他の框と異なり、障子を閉めた際に障子取付枠が長手方向に沿うことはなく、ほぼ全体が外部に露出しているので、障子取付枠と係合する部位が火炎等により溶融されて、召合せ框が室内側に移動または倒れると、外障子の召合せ框と間にて室内外が連通してしまうという課題がある。
【０００５】
本発明は、かかる課題に鑑みてなされたものであり、その目的とするところは、意匠性を損なうことなく、加熱されても建具によって仕切られている２つの空間が、召合せ部にて連通し難い建具を提供することにある。
【課題を解決するための手段】
【０００６】
かかる目的を達成するために本発明の建具は、枠体に沿って障子がスライドすることにより前記枠体により形成され室内外を連通する開口を開閉可能な建具であって、前記障子は、面材と、前記面材の外周部を収容する面材収容部を各々有し、前記障子を閉じたときに見込み方向において他の部材と対向する召合せ框を含む４つの框材が框組みされた框体と、を有し、前記枠体は、前記框体の外周部を収容して前記障子のスライドを案内する外周案内部と、前記外周部より内側の内周部と見込み方向において対向する合成樹脂製のカバー材を備え、前記カバー材の室外側には、前記障子を閉じた状態で当該障子の前記召合せ框と対向する対向位置に、難燃性または不燃性の補強材が設けられていることを特徴とする建具である。
【０００７】
このような建具によれば、枠体に収容されない框体の内周部と対向する合成樹脂製のカバー材の室外側に難燃性または不燃性の補強材が設けられているので、建具が室内側から火炎に曝されたとしても、召合せ框が溶融して室内側に移動または室内側に倒れることを抑えることが可能である。このとき、難燃性または不燃性の補強材は、合成樹脂製のカバー材の室外側に設けられているので、室内側からは視認されない。このため、意匠性を損なうことなく、防火性を向上させることが可能である。また、補強材は、障子を閉じた状態で当該障子の召合せ框と対向する対向位置に設けられているので、小さな補強材により効率良く召合せ框の移動や倒れを抑えることが可能であり、コストも抑えることが可能である。
【０００８】
かかる建具であって、前記補強材は、前記対向位置から前記障子がスライドする方向に繋がって設けられていることが望ましい。
【０００９】
召合せ框がスライドする方向は、障子が存在しない空間側なので、火炎が入り込みやすい空間となる。このため、上記建具のように、補強材が対向位置から障子がスライドする方向に繋がって設けられていることにより、防火性を高めることが可能である。
また、前記補強材は、前記框体と対向する側の面に加熱発泡材が設けられていることを特徴とする建具である。
【００１０】
このような建具によれば、補強材に設けられた加熱発泡材が発泡することにより、召合せ框とカバー材との隙間が加熱発泡材により塞がれるので、より防火性を高めることが可能である。また、補強材の、障子がスライドする方向に繋がって設けられている部位に設けられた加熱発泡材が発泡することにより、召合せ框と隣接する空間側が塞がれるので、召合せ部において室内外が連通することを防止することが可能である。
【発明の効果】
【００１１】
本発明によれば、意匠性を損なうことなく、加熱されても建具によって仕切られている２つの空間が連通し難い建具を提供することが可能である。
【図面の簡単な説明】
【００１２】
【図１】本発明に係る実施形態の建具を備えた勝手口扉を示す内観姿図である。
【図２】勝手口扉を示す縦断面図である。
【図３】勝手口扉を示す横断面図である。
【図４】建具の左端側を示す横断面図である。
【図５】建具の召合せ部を示す縦断面図である。
【図６】加熱された熱膨張性黒鉛を示す召合せ部の縦断面図である。
【発明を実施するための形態】
【００１３】
以下、本発明の第１実施形態に係る建具について図面を参照して説明する。
第１実施形態の建具１は、例えば、玄関や勝手口などに用いられる扉が備える換気用の上げ下げ窓用の建具である。
【００１４】
以下の説明においては、建物等に取り付けられた状態の建具１を室外側から見たときに、上下となる方向を上下方向、左右となる方向を左右方向、室内外方向である奥行き方向を見込み方向として示す。また、建具１が備える各部材は、単体の状態であっても建物等に取り付けられた状態にて上下方向、左右方向、奥行き方向となる方向にて方向を特定して説明する。
【００１５】
建具１は、図１〜図３に示すように、建物の躯体に取り付けられた扉枠２にヒンジ４を介して開閉自在に設けられた勝手口扉３の本体をなすパネル体３０に設けられた矩形状の窓３ａに設けられている。
【００１６】
パネル体３０は、アルミニウム製の押出成形材でなる室外側パネル材３０ａと合成樹脂製の押出成型材でなる室内側パネル材３０ｂとが接合されて形成された複合部材である。上パネル材３１ａ、３１ｂ、下パネル材３２ａ、３２ｂ、左右の縦パネル材３３ａ、３３ｂが、矩形状に接合されて建具１が取り付けられる窓３ａが形成されている。窓３ａの内周部は、上パネル材３１ａ、３１ｂ、下パネル材３２ａ、３２ｂ、左右の縦パネル材３３ａ、３３ｂの室外側パネル材３０ａと室内側パネル材３０ｂとの各々の縁部が互いに対向する側に延出されて、建具１の枠体５が係止される係止片３ｂをなしている。
【００１７】
建具１は、窓３ａの内周に取り付けられるアルミニウム製の枠体５と、この枠体５に沿ってスライドすることにより枠体５により形成される開口５ａを開閉可能な外障子１０及び内障子２０と、を有している。外障子１０及び内障子２０は、引違い状に設けられており、枠体５により形成される開口５ａを閉じたときには、外障子１０が開口５ａの上部側に、内障子２０が開口５ａの下部側に位置し、外障子１０及び内障子２０の召合せ框１１、２１は、見込み方向において対向している。
【００１８】
勝手口扉３には、開口５ａを閉じた状態において、建具１の枠体５と、外障子１０及び内障子２０の召合せ框１１、２１を除く框１２、１３、２２、２３、と、を覆うカバー材３４、３５が室内外の両面に設けられている。
【００１９】
外障子１０及び内障子２０は、いずれも面材としての複層ガラス１５と、複層ガラス１５の外周部を収容する面材収容部１１ａ、１２ａ、１３ａ、２１ａ、２２ａ、２３ａを備えたアルミニウム製の４つの框材とを有している。４つの框材は、複層ガラス１５を囲むように矩形状に框組みされて框体１０ａ、２０ａをなしている。各框材は、框組みされた状態で内周側に面材収容部１１ａ、１２ａ、１３ａ、２１ａ、２２ａ、２３ａが位置し、面材収容部１１ａ、１２ａ、１３ａ、２１ａ、２２ａ、２３ａより外周側に突出する外周部としての周方向突出部１１ｂ、１２ｂ、１３ｂ、２１ｂ、２２ｂ、２３ｂを有している。
【００２０】
外障子１０および内障子２０の左右に位置する縦框１３、２３の周方向突出部１３ｂ、２３ｂは、昇降する際に枠体５の縦枠５１が有する案内溝部５１ａ、５１ｂに案内され、外障子１０の上框１２の周方向突出部１２ｂ及び内障子２０の下框２２の周方向突出部２２ｂは、障子１０、２０を閉じた際に枠体５の収容溝部５２ａ、５３ａに収容される。外障子１０の下框１１と内障子２０の上框２１は、障子１０、２０を閉じた際に枠体５の上枠５２と下枠５３との間にて見込み方向に重なるように配置される召合せ框であり、縦枠５１の案内溝部５１ａ、５１ｂには収容されない。
【００２１】
周方向突出部１１ｂ、１２ｂ、１３ｂ、２１ｂ、２２ｂ、２３ｂは、面材収容部１１ａ、１２ａ、１３ａ、２１ａ、２２ａ、２３ａより見込み方向の幅が狭く形成されており、外障子１０では面材収容部１１ａ、１２ａ、１３ａの見込み方向の幅に対して室内側に偏った位置に配置され、内障子２０では面材収容部２１ａ、２２ａ、２３ａの見込み方向の幅に対して室外側に偏った位置に配置されている。すなわち、矩形状に枠組みされた枠体５の案内溝部５１ａ、５１ｂおよび収容溝部５２ａ、５３ａより内周側にて、外障子１０は、面材収容部１１ａ、１２ａ、１３ａの室外側の部位が周方向突出部１１ｂ、１２ｂ、１３ｂより室外側に張り出し、内障子２０は、面材収容部２１ａ、２２ａ、２３ａの室内側の部位が周方向突出部２１ｂ、２２ｂ、２３ｂより室内側に張り出し、周方向突出部１１ｂ、１２ｂ、１３ｂ、２１ｂ、２２ｂ、２３ｂと面材収容部１１ａ、１２ａ、１３ａ、２１ａ、２２ａ、２３ａの張り出した部位とが段部１１ｃ、１２ｃ、１３ｄ、２１ｃ、２２ｃ、２３ｃをなしている。
【００２２】
枠体５は、アルミニウム製の押出成形部材であり、外障子１０及び内障子２０を閉じた際に、外障子１０の上框１２が収容される収容溝部５２ａを有する上枠５２と、内障子２０の下框２２が収容される収容溝部５３ａを有する下枠５３と、外障子１０および内障子２０の昇降を案内する外周案内部としての案内溝部５１ａ、５１ｂを有する左右の縦枠５１とを有している。左右の縦枠５１は、同一の部材により構成されている。左右の縦枠５１は、外障子１０を案内する外側案内溝部５１ａと、内障子２０を案内する内側案内溝部５２ｂと、を有している。
【００２３】
左右の縦枠５１は、互いに対面し、外側案内溝部５１ａおよび内側案内溝部５１ｂの底部をなす底板部５１ｃと、底板部５１ｃとともに外側案内溝部５１ａを形成し外障子１０が有する縦框１３の周方向突出部１３ｂの室外側面１３ｃと見込み方向に対面する室外対向壁部５１ｄと、底板部５１ｃとともに内側案内溝部５１ｂを形成し内障子２０が有する縦框２３の周方向突出部２３ｂの室内側に位置して室外対向壁部５１ｄと平行に設けられた室内対向壁部５１ｅと、室外対向壁部５１ｄと室内対向壁部５１ｅとの間に設けられ外側案内溝部５１ａおよび内側案内溝部５１ｂを形成する中央壁部５１ｆとを有している。すなわち、室外対向壁部５１ｄと中央壁部５１ｆと底板部５１ｃの室外側の部位により外側案内溝部５１ａが形成されており、室内対向壁部５１ｅと中央壁部５１ｆと底板部５１ｃの室内側の部位により内側案内溝部５１ｂが形成されている。
【００２４】
内側案内溝部５１ｂは外側案内溝部５１ａより見込み方向の幅が広く形成されている。すなわち、室外対向壁部５１ｄと中央壁部５１ｆとの間隔は、室内対向壁部５１ｅと中央壁部５１ｆとの間隔より広く形成されている。室内対向壁部５１ｅの内周側の縁は室外側に延出された延出部５１ｇを有しており、内側案内溝部５１ｂには、当該内側案内溝部５１ｂに収容される内障子２０の周方向突出部２３ｂより室内側に空間Ｓが設けられている。この空間Ｓには、内側案内溝部５１ｂを形成する底板部５１ｃの室内側の部位と、室内対向壁部５１ｅと、延出部５１ｇとの内周側に沿うように断面がコ字状をなす鉄製の補強金物５４が固定されている。
【００２５】
パネル体３０に枠体５が取り付けられ、枠体５に外障子１０および内障子２０が装着されて閉じられた状態では、パネル体３０の窓３ａに沿って枠体５が位置しており、枠体５の内周側に内周部としての外障子１０の上框１２及び左右の縦框１３の面材収容部１２ａ、１３ａと、内障子２０の下框２２及び左右の縦框２３の面材収容部２２ａ、２３ａが位置している。本実施形態の建具１は、窓３ａの内周側に外障子１０及び内障子２０における召合せ框１１、２１以外の框１２、１３、２２、２３が室外側から見えないように覆うアルミニウム製の外カバー材３４と、室内側から見えないように覆う合成樹脂製の内カバー材３５とを有している。
【００２６】
内カバー材３５のうち縦枠５１に設けられた部位は、図４に示すように、枠体５のパネル体３０より室内側に突出する底板部５１ｃおよび室内対向壁部５１ｅと、窓３ａの縁部をなす室内側パネル材３０ｂとに当接されて、窓３ａの縁部を矩形状に覆うカバー本体３６と、矩形状をなすカバー本体３６に囲まれた領域内にて内障子２０の面材収容部２３ａを形成する室内側の壁部２３ｄと対向して見込み方向に間隔を隔てて設けられた内周カバー部３７とを有している。
【００２７】
縦枠５１に設けられた内カバー材３５のカバー本体３６は、縦枠５１の室内対向壁部５１ｅの室内側に上下方向に貫通する中空部３６ａを備えており、中空部３６ａを形成する窓３ａの中央側の部位は、室外側に延出されて枠体５の延出部５１ｇの内周側の面を覆う延出部当接壁３６ｂをなしている。内周カバー部３７は、中空部３６ａを形成する室内側の部位３６ｃと平坦に繋がって窓３ａの中央側に突出しており、昇降する内障子２０の縦框２３にて面材収容部２３ａをなす室内側の部位と対面している。このため、内カバー材３５の、延出部当接壁３６ｂと内周カバー部３７とはほぼ直角をなす繋がった内側面３５ａをなし、内障子２０の縦框２３が有する面材収容部２３ａの周方向突出部２３ｂより室内側に張り出した段部２３ｃとが間隔を隔てて対向している。
【００２８】
内カバー材３５の内側面３５ａには、当該内側面３５ａに沿うように、断面がＬ字状をなす鉄製の補強材５５が、外障子１０及び内障子２０を閉じた際に、内障子２０の召合せ框２１と対向する対向位置に設けられている。本実施形態では、内障子２０の召合せ框２１と対向する対向位置を含み、召合せ框２１の下縁２１ｄと同じ高さより上方に設けられている。この補強材５５は、縦枠５１の内側案内溝部５１ｂに設けられた補強金物５４と延出部当接壁３６ｂを介してビス止めされている。
【００２９】
補強材５５の上下方向の幅Ｌ１は、図５に示すように、内障子２０の召合せ框２１の高さ方向の幅Ｌ２より上下方向に大きく形成されている。また、補強材５５において内周カバー部３７の室外側に位置する縦壁部５５ａの室外側面５５ｂには、上下方向の幅の全域に加熱発泡材としての熱膨張性黒鉛３８が貼り付けられている。
【００３０】
本実施形態の建具１によれば、枠体５に収容されない框体２０ａの段部２３ｃと対向する合成樹脂製の内カバー材３５の室外側に不燃性である鉄製の補強材５５が設けられているので、建具１が室内側から火炎に曝されたとしても、召合せ框２１が溶融して室内側に移動または室内側に倒れることを抑えることが可能である。このとき、鉄製の補強材５５は、合成樹脂製の内カバー材３５の室外側に設けられているので、室内側からは視認されない。このため、意匠性を損なうことなく、防火性を向上させることが可能である。また、補強材５５は、障子１０、２０を閉じた状態で内障子２０の召合せ框２１と対向する位置に設けられているので、縦枠５１の長さと同様の長さをなす補強材を設ける場合より小さな補強材５５にて効率良く召合せ框２１の移動や倒れを抑えることが可能であり、コストもおさえることが可能である。
【００３１】
また、召合せ框２１がスライドする方向は、召合せ框２１と隣接して内障子２０が存在しない側なので、火炎が入り込みやすい空間となる。このため、上記建具１のように、補強材５５が召合せ框２１の対向位置から内障子２０がスライドする方向に繋がって設けられていることにより、防火性を高めることが可能である。
【００３２】
また、補強材５５に設けられた熱膨張性黒鉛３８が発泡することにより、召合せ框２１と框体２０ａの段部２３ｃと対向する内カバー材３５との隙間が熱膨張性黒鉛３８により塞がれるので、より防火性を高めることが可能である。また、補強材５５の、閉じられた内障子２０がスライドする方向、すなわち上方に繋がって設けられている部位に設けられた熱膨張性黒鉛３８が発泡することにより、召合せ框２１に対して、召合せ框２１と隣接する空間も塞がれるので、召合せ部において室内外が連通することを防止することが可能である。
【００３３】
上記実施形態においては、建具を勝手口などに用いられる扉が備える換気用の上げ下げ窓用の建具１としたが、これに限るものではない。たとえば、建物等に直接設けられた枠体に障子が設けられている建具であっても構わない。また、上げ下げ窓用の建具に限らず、引違い窓や、片引き窓用の建具であっても構わない。片引き窓の場合には、召合せ框が対向する部材は、縦骨や壁などに相当する。
【００３４】
また、各面材収容部１１ａ、１２ａ、１３ａ、２１ａ、２２ａ、２３ａや各周方向突出部１１ｂ、１２ｂ、１３ｂ、２１ｂ、２２ｂ、２３ｂには、適宜熱膨張性黒鉛などの加熱発泡材を設けておいても構わない。
【００３５】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３６】
１  建具、３ａ  窓、５  枠体、５ａ  開口、１０  外障子、１０ａ  框体、
１１  召合せ框（下框）、１１ａ  面材収容部、１１ｂ  周方向突出部、１２  上框、
１２ａ  面材収容部、１２ｂ  周方向突出部、１３  縦框、１３ａ  面材収容部、
１３ｂ  周方向突出部、１５  複層ガラス、２０  内障子、２０ａ  框体、
２１  召合せ框（上框）、２１ａ  面材収容部、２１ｂ  周方向突出部、２１ｄ  下縁、２２  下框、２２ａ  面材収容部、２２ｂ  周方向突出部、２３  縦框、
２３ａ  面材収容部、２３ｂ  周方向突出部、３５  内カバー材（カバー材）、
３８  熱膨張性黒鉛、５１ａ  外側案内溝部、５１ｂ  内側案内溝部、
５５  補強材、
【図１】
2015206207.tif 000003
【図２】
2015206207.tif 000004
【図３】
2015206207.tif 000005
【図４】
2015206207.tif 000006
【図５】
2015206207.tif 000007
【図６】
2015206207.tif 000008